(57)【要約】      （修正有）【課題】不使用時に嵩張らず、使用時に液漏れがなく、組み立て、分解が容易で、再利用が可能であり、衛生的な食品収納容器を提供する。【解決手段】一枚の合成樹脂製シートを裁断して折り曲げ、箱状に組み立てる食品収納容器１であって、長方形形状の底板部２の両側に側板部３、両端に端板部４を夫々折線を介して連設すると共に、夫々の側板部３と端板部４との間に、正方形形状で前記底板部２の頂角方向に延出する対角線の折線を形成したコーナー板部６を夫々折線を介して連設し、前記端板部４の他端にカバー板部７を夫々折線を介して連設して、夫々の折線を折り曲げて一対のコーナー板部６をカバー板部７で外装し、該カバー板部７を係止した構成である。【選択図】図１
0003161650.tif 000002
【実用新案登録請求の範囲】
【請求項１】
一枚の合成樹脂製シートを裁断して折り曲げ、箱状に組み立てる食品収納容器（１）であって、長方形形状の底板部（２）の両側に側板部（３）、両端に端板部（４）を夫々折線（５）を介して連設すると共に、夫々の側板部（３）と端板部（４）との間に、正方形形状で前記底板部（２）の頂角方向に延出する対角線の折線（５）を形成したコーナー板部（６）を夫々折線（５）を介して連設し、前記端板部（４）の他端にカバー板部（７）を夫々折線（５）を介して連設して、夫々の折線（５）を折り曲げて一対のコーナー板部（６）をカバー板部（７）で外装し、該カバー板部（７）を係止することを特徴とする食品収納容器。
【請求項２】
一枚の合成樹脂製シートを裁断して折り曲げ、箱状に組み立てる食品収納容器（１）であって、長方形形状の底板部（２）の両側に側板部（３）、両端に端板部（４）を夫々折線（５）を介して連設すると共に、夫々の側板部（３）と端板部（４）との間に、正方形形状で前記底板部（２）の頂角方向に延出する対角線の折線（５）を形成したコーナー板部（６）を夫々折線（５）を介して連設し、前記側板部（３）及びコーナー板部（６）の他端に補助板部（８）を夫々折線（５）を介して連設すると共に、前記端板部（４）の他端にカバー板部（７）を夫々折線（５）を介して連設し、更に該カバー板部（７）の他端に係止舌片（９）を夫々折線（５）を介して連設し、夫々の折線（５）を折り曲げて端板部（４）の外側に位置する三角形状となった一対のコーナー板部（６）をカバー板部（７）で外装し、前記係止舌片（９）を端板部（４）と一対のコーナー板部（６）との間に挿し込み係止することを特徴とする食品収納容器。
【請求項３】
一枚の合成樹脂製シートを裁断して折り曲げ、箱状に組み立てる食品収納容器（１）であって、長方形形状の底板部（２）の両側に側板部（３）、両端に端板部（４）を夫々折線（５）を介して連設すると共に、夫々の側板部（３）と端板部（４）との間に、正方形形状で前記底板部（２）の頂角方向に延出する対角線の折線（５）を形成したコーナー板部（６）を夫々折線（５）を介して連設し、更に前記端板部（４）の他端にカバー板部（７）を夫々折線（５）を介して連設し、前記端板部（４）に第一の係止フック（１０ａ）を設けると共に、前記カバー板部（７）に第二の係止フック（１０ｂ）を設け、夫々の折線（５）を折り曲げて端板部（４）の内側に位置する三角形状となった一対のコーナー板部（６）をカバー板部（７）で覆い、前記第一の係止フック（１０ａ）と第二の係止フック（１０ｂ）とを係止することを特徴とする食品収納容器。
【請求項４】
一枚の合成樹脂製シートを裁断して折り曲げ、箱状に組み立てる食品収納容器（１）であって、長方形形状の底板部（２）の両側に側板部（３）、両端に端板部（４）を夫々折線（５）を介して連設すると共に、夫々の側板部（３）と端板部（４）との間に、正方形形状で前記底板部（２）の頂角方向に延出する対角線の折線（５）を形成したコーナー板部（６）を夫々折線を介して連設し、前記側板部（３）及びコーナー板部（６）の他端に補助板部を夫々折線（５）を介して連設すると共に、前記端板部（４）の他端にカバー板部（７）を夫々折線（５）を介して連設し、夫々の折線（５）を折り曲げて端板部（４）の外側に位置する一方の補助板部（８）の端部に第一の係止フック（１０ａ）を設けると共に、対向する他方の補助板部（８）の端部に貫通孔（１１）を設け、前記カバー板部（７）に第二の係止フック（１０ｂ）を設けて、一方の補助板部（８）の第一の係止フック（１０ａ）を前記他方の補助板部（８）の貫通孔（１１）に嵌挿すると共に、カバー板部（７）を補助板部（８）の端部外面を覆う形態として、前記第一の係止フック（１０ａ）と第二の係止フック（１０ｂ）とを係止することを特徴とする食品収納容器。
【請求項５】
一枚の合成樹脂製シートを裁断して折り曲げ、箱状に組み立てる食品収納容器（１）であって、長方形形状の底板部（２）の両側に側板部（３）、両端に端板部（４）を夫々折線（５）を介して連設すると共に、夫々の側板部（３）と端板部（４）との間に、正方形形状で前記底板部（２）の頂角方向に延出する対角線の折線（５）を形成したコーナー板部（６）を夫々折線（５）を介して連設し、一方の前記側板部（３）及びコーナー板部（６）の他端に補助板部（８）を折線（５）を介して連設すると共に、他方の前記側板部（３）の他端に蓋板部（１３）を折線（５）を介して連設し、更に前記端板部（４）の他端にカバー板部（７）を夫々折線（５）を介して連設し、前記補助板部（８）の両端部に第一の係止フック（１０ａ）を夫々設けると共に、前記カバー板部（７）に第二の係止フック（１０ｂ）を設け、夫々の折線（５）を折り曲げて端板部（４）の外側に三角形状となった一対のコーナー板部（６）を位置させ、前記第一の係止フック（１０ａ）と第二の係止フック（１０ｂ）とを係止することを特徴とする食品収納容器。
【考案の詳細な説明】
【技術分野】
【０００１】
本考案は、折り畳み可能な食品収納容器に関するものである。
【背景技術】
【０００２】
食品を保存収納し、外出先での弁当に供することになるランチボックス等の食品収納容器にあっては、第一義的には収納する食品の変質を防ぎ、収納内容物の漏出がないようにすることが求められ、蓋付きの合成樹脂製容器、陶磁製容器、合成樹脂や金属製の弁当箱等が用いられてきた。
【０００３】
しかしながら、これらの容器は、その不使用状態では嵩み、場所をとる難点があった。特にランチボックスのように、食品を詰めて外出し、外出先で食した後では空の容器を持ち帰ることになるので、邪魔で甚だ扱い難いものである。使い捨て容器のようなものもあるが、経済性の観点からもごみの排出が増えるといった面からも、極めて不都合である。
【０００４】
更には、通常の容器では隅部に溜まる滓が洗い難く、食品容器としては不衛生ですらある。
【０００５】
そこで、これらの不都合を解決する観点から、例えば以下の如き発明、考案の提案がある。
【先行技術文献】
【特許文献】
【０００６】
【特許文献１】特開２００７−１０５３３７号公報
【特許文献２】特開平７-１５６９３８号公報
【特許文献３】実用新案登録第２５３５７６１号公報
【考案の概要】
【考案が解決しようとする課題】
【０００７】
この特許文献１の発明「ランチボックス」は、一枚の合成樹脂製板紙を裁断して折り曲げ、箱状に組み立てるものであるが、底面板は４枚の底面板群を相互に組み付けることにより構成されるものであるから、単なる米食だけならばともかく、多少なりとも汁や液体を含んでいると液漏れしてしまう虞がある。
【０００８】
また、特許文献２の発明「包装用弁当箱」は、同じく紙製の折り込み箱であるが、側板となるフラップを相互に係合する構成であるので、やはりこの係合部分で液漏れしてしまう虞がある。また、構造が複雑で、組み立て、分解に手間がかかる。
【０００９】
更には特許文献３の考案「収納箱」も一枚のプラスチックシートを裁断して折り曲げ、箱状に組み立てるものであるが、側板となる側面部とフラップとの間に隙間が形成されているので、液漏れが生じる。
【００１０】
よって本考案は、上述した従来技術の欠点、不都合、不満を解消するべく開発された食品収納容器であって、不使用時に嵩張らず、使用時に液漏れがなく、組み立て、分解が容易で、再利用が可能であり、衛生的であることを目的とする。
【課題を解決するための手段】
【００１１】
上記課題を解決するため、本考案の請求項１にかかる食品収納容器は、一枚の合成樹脂製シートを裁断して折り曲げ、箱状に組み立てる食品収納容器であって、長方形形状の底板部の両側に側板部、両端に端板部を夫々折線を介して連設すると共に、夫々の側板部と端板部との間に、正方形形状で前記底板部の頂角方向に延出する対角線の折線を形成したコーナー板部を夫々折線を介して連設し、前記した端板部の他端にカバー板部を夫々折線を介して連設して、夫々の折線を折り曲げて一対のコーナー板部をカバー板部で外装し、このカバー板部を係止することを特徴とする構成である。
【００１２】
或いは請求項２にかかる食品収納容器は、一枚の合成樹脂製シートを裁断して折り曲げ、箱状に組み立てる食品収納容器であって、長方形形状の底板部の両側に側板部、両端に端板部を夫々折線を介して連設すると共に、夫々の側板部と端板部との間に、正方形形状で前記した底板部の頂角方向に延出する対角線の折線を形成したコーナー板部を夫々折線を介して連設し、前記した側板部及びコーナー板部の他端に補助板部を夫々折線を介して連設すると共に、前記した端板部の他端にカバー板部を夫々折線を介して連設し、更にこのカバー板部の他端に係止舌片を夫々折線を介して連設し、夫々の折線を折り曲げて端板部の外側に位置する三角形状となった一対のコーナー板部をカバー板部で外装し、前記した係止舌片を端板部と一対のコーナー板部との間に挿し込み係止することを特徴とする構成である。
【００１３】
或いは請求項３にかかる食品収納容器は、一枚の合成樹脂製シートを裁断して折り曲げ、箱状に組み立てる食品収納容器であって、長方形形状の底板部の両側に側板部、両端に端板部を夫々折線を介して連設すると共に、夫々の側板部と端板部との間に、正方形形状で前記した底板部の頂角方向に延出する対角線の折線を形成したコーナー板部を夫々折線を介して連設し、更に前記した端板部の他端にカバー板部を夫々折線を介して連設し、前記した端板部に第一の係止フックを設けると共に、前記したカバー板部に第二の係止フックを設け、夫々の折線を折り曲げて端板部の内側に位置する三角形状となった一対のコーナー板部をカバー板部で覆い、前記した第一の係止フックと第二の係止フックとを係止することを特徴とする構成である。
【００１４】
或いは請求項４にかかる食品収納容器は、一枚の合成樹脂製シートを裁断して折り曲げ、箱状に組み立てる食品収納容器であって、長方形形状の底板部の両側に側板部、両端に端板部を夫々折線を介して連設すると共に、夫々の側板部と端板部との間に、正方形形状で前記した底板部の頂角方向に延出する対角線の折線を形成したコーナー板部を夫々折線を介して連設し、前記した側板部及びコーナー板部の他端に補助板部を夫々折線を介して連設すると共に、前記した端板部の他端にカバー板部を夫々折線を介して連設し、夫々の折線を折り曲げて端板部の外側に位置する一方の補助板部の端部に第一の係止フックを設けると共に、対向する他方の補助板部の端部に貫通孔を設け、前記したカバー板部に第二の係止フックを設けて、一方の補助板部の第一の係止フックを前記した他方の補助板部の貫通孔に嵌挿すると共に、カバー板部を補助板部の端部を覆う形態として、前記した第一の係止フックと第二の係止フックとを係止することを特徴とする構成である。
【００１５】
或いは請求項５にかかる食品収納容器は、一枚の合成樹脂製シートを裁断して折り曲げ、箱状に組み立てる食品収納容器であって、長方形形状の底板部の両側に側板部、両端に端板部を夫々折線を介して連設すると共に、夫々の側板部と端板部との間に、正方形形状で前記した底板部の頂角方向に延出する対角線の折線を形成したコーナー板部を夫々折線を介して連設し、一方の前記した側板部及びコーナー板部の他端に補助板部を折線を介して連設すると共に、他方の前記した側板部の他端に蓋板部を折線を介して連設し、更に前記した端板部の他端にカバー板部を夫々折線を介して連設し、前記した補助板部の両端部に第一の係止フックを夫々設けると共に、前記したカバー板部に第二の係止フックを設け、夫々の折線を折り曲げて端板部の外側に三角形状となった一対のコーナー板部を位置させ、前記した第一の係止フックと第二の係止フックとを係止することを特徴とする構成である。
【考案の効果】
【００１６】
上記した本考案の食品収納容器は、一枚の合成樹脂製シートを裁断して折り曲げ、箱状に組み立てる構成であるから、分解すればシート状となって不使用時に嵩張らず、使用後に簡単且つ確実に洗うことができて、極めて衛生的である。
【００１７】
本考案の食品収納容器は基本的に、長方形形状の底板部の両側に側板部、両端に端板部を夫々折線を介して連設すると共に、夫々の側板部と端板部との間に、正方形形状で前記した底板部の頂角方向に延出する対角線の折線を形成したコーナー板部を夫々折線を介して連設し、夫々の折線を折り曲げて組み立てるものであるから、箱体を形成する底板部、側板部、端板部は折線を介して連続していて隙間がなく、従って液漏れの虞は全くない。
【００１８】
また、夫々の折線を折り曲げて組み立て、カバー板部を係止するだけであるから、組み立ても分解も極めて容易であり、再利用が可能であって経済的である。
【００１９】
そして請求項２にかかる本考案の食品収納容器では、端板部の外側に位置する三角形状となった一対のコーナー板部をカバー板部で外装し、係止舌片を端板部と一対のコーナー板部との間に挿し込み係止するだけであるから、組み立て、分解が容易であり、組み立て状態では、端板部とコーナー板部とカバー板部、及び側板部と補助板部とにより多重壁構造となるので、強度が確保される。
【００２０】
或いは請求項３にかかる食品収納容器では、端板部の内側に位置する三角形状となった一対のコーナー板部をカバー板部で覆い、端板部の第一の係止フックとカバー板部の第二の係止フックとを係止するだけで容易に組み立て状態を確実に達成でき、分解はこの係止を解くだけでよい。
【００２１】
或いは請求項４にかかる食品収納容器では、夫々の折線を折り曲げて、端板部の外側に位置する一方の補助板部の端部に第一の係止フックを他方の補助板部の貫通孔に嵌挿し、補助板部の端部外面を覆う形態となったカバー板部の第二の係止フックを第一の係止フックに係止するので、組み付き状態がより強固になり、また、多重壁構造による強度が確保される。
【００２２】
或いは請求項５にかかる食品収納容器では、側板部の他端に蓋板部を折線を介して連設した構成なので、蓋体を一体にすることができる等、本考案は多くの優れた作用効果を奏する。
【図面の簡単な説明】
【００２３】
【図１】本考案にかかる食品収納容器の一例を示す組み立て途中の斜視図である。
【図２】図１の展開図である。
【図３】本考案にかかる食品収納容器の他例を示す組み立て途中の斜視図である。
【図４】図２の展開図である。
【図５】本考案にかかる食品収納容器の他例を示す組み立て途中の斜視図である。
【図６】図５の次のステップの組み立て途中の斜視図である。
【図７】図５、６の展開図である。
【図８】本考案にかかる食品収納容器の他例を示す組み立て途中の斜視図である。
【図９】図８の展開図である。
【考案を実施するための形態】
【００２４】
一枚の合成樹脂製シートを裁断して折り曲げて箱状に組み立てる食品収納容器１は、長方形形状の底板部２の両側に側板部３、両端に端板部４を夫々谷折線５ａを介して連設すると共に、夫々の側板部３と端板部４との間に、正方形形状で底板部２の頂角方向に延出する対角線の折線５を形成したコーナー板部６を夫々折線５を介して連設し、端板部４の他端にカバー板部７を夫々折線５を介して連設して基本構成とする。
【００２５】
そして、夫々の折線５を折り曲げて一対のコーナー板部６をカバー板部７で外装し、このカバー板部７を係止するのである。
【実施例１】
【００２６】
図１、図２にあって、コーナー板部６に形成される、底板部２の頂角方向に延出する対角線の折線は谷折線５ａであって、側板部３及びコーナー板部６の他端に補助板部８を夫々山折線５ｂを介して連設すると共に、カバー板部７の他端に係止舌片９を山折線５ｂを介して連設した構成である。
【００２７】
そこで、底板部２に対して側板部３と端板部４を夫々谷折線５ａを折り曲げて立ち上げると共に、補助板部８を山折線５ｂで反転折り曲げし、コーナー板部６を対角線である谷折線５ａで折り曲げて、三角形状となった一対のこのコーナー板部６を端板部４の外側に位置させる。次いで、カバー板部７を山折線５ｂで反転折り曲げして一対のコーナー板部６に外装し、更に係止舌片９を山折線５ｂで反転折り曲げして端板部４と一対のコーナー板部６との間に挿し込み係止するのである。
【実施例２】
【００２８】
次に図３、図４にあって、コーナー板部６に形成される、底板部２の頂角方向に延出する対角線の折線は山折線５ｂであって、カバー板部７の他端に係止舌片９を谷折線５ａを介して連設した構成である。また、端板部４の内面に第一の係止フックとして受けフック１０ａを設けると共に、カバー板部７の内面に第二の係止フックとして押しフック１０ｂを設ける。
【００２９】
そこで、底板部２に対して側板部３と端板部４を夫々谷折線５ａを折り曲げて立ち上げると共に、コーナー板部６を対角線である山折線５ｂで折り曲げて、三角形状となった一対のこのコーナー板部６を端板部４の内側に位置させる。次いで、カバー板部７を山折線５ｂで内側に反転折り曲げして一対のコーナー板部６に外装し、第一の係止フックと第二の係止フックである受けフック１０ａと押しフック１０ｂとを相互に嵌め込んで係止するのである。
【実施例３】
【００３０】
次に図５、図６、図７にあって、コーナー板部６に形成される、底板部２の頂角方向に延出する対角線の折線は谷折線５ａであって、側板部３及びコーナー板部６の他端に補助板部８を夫々山折線５ｂを介して連設する。また、夫々の補助板部８の一方の端部に第一の係止フックとして受けフック１０ａを設けると共に、補助板部８の他方の端部に貫通孔１１を設け、更にカバー板部７の内面に第二の係止フックとして押しフック１０ｂを設ける。
【００３１】
そこで、底板部２に対して側板部３と端板部４を夫々谷折線５ａを折り曲げて立ち上げると共に、補助板部８を山折線５ｂで反転折り曲げし、コーナー板部６を対角線である谷折線５ａで折り曲げて、三角形状となった一対のこのコーナー板部６を端板部４の外側に位置させる。そして、一方のコーナー板部６を外側に折り曲げて端板部４に外装し、次いで他方のコーナー板部６を外側に折り曲げて一方のコーナー板部６に重ね、一方のコーナー板部６の受けフック１０ａを他方のコーナー板部６の貫通孔１１に貫通させ、更にカバー板部７を山折線５ｂで外側に反転折り曲げして、第一の係止フックと第二の係止フックである受けフック１０ａと押しフック１０ｂとを相互に嵌め込んで係止するのである。
【実施例４】
【００３２】
次に図８、図９にあって、コーナー板部６に形成される、底板部２の頂角方向に延出する対角線の折線は谷折線５ａであって、一方の側板部３及びコーナー板部６の他端に補助板部８を山折線５ｂを介して連設すると共に、他方の側板部３の他端に蓋板部１２を山折線５ｂを介して連設し、更に端板部３の他端にカバー板部７を夫々山折線５ｂを介して連設する。
【００３３】
また、蓋板部１２の他端には更に谷折線５ａを介して組み付け板部１３が連設され、この組み付け板部１３の中央に係止舌片１４を切り込み形成すると共に、補助板部８の中央にこの係止舌片１４が係止する係止孔１５を開設する。更には、補助板部８の両端部外面に第一の係止フックとして受けフック１０ａを夫々設けると共に、カバー板部７の内面に第二の係止フックとして押しフック１０ｂを設ける。
【００３４】
そこで、底板部２に対して側板部３と端板部４を夫々谷折線５ａを折り曲げて立ち上げると共に、補助板部８を山折線５ｂで反転折り曲げし、コーナー板部６を対角線である谷折線５ａで折り曲げて、三角形状となった一対のこのコーナー板部６を端板部４の外側に位置させる。そして、一方のコーナー板部６を外側に折り曲げて端板部４に外装し、次いで他方のコーナー板部６を外側に折り曲げて一方のコーナー板部６に重ね、カバー板部７を山折線５ｂで外側に反転折り曲げして、第一の係止フックと第二の係止フックである受けフック１０ａと押しフック１０ｂとを相互に嵌め込んで係止するのである。
【００３５】
また、側板部３との谷折線５ａを折り曲げて蓋板部１２を被せ、組み付け板部１３の係止舌片１４を係止孔１５に係止することにより、閉蓋姿勢を維持するのである。
【符号の説明】
【００３６】
１  食品収納容器
２  底板部
３  側板部
４  端板部
５  折線
５ａ  谷折線
５ｂ  山折線
６  コーナー板部
７  カバー板部
８  補助板部
９  係止舌片
１０ａ  受けフック（第一の係止フック）
１０ｂ  押しフック（第二の係止フック）
１１  貫通孔
１２  蓋板部
１３  組み付け板部
１４  係止舌片
１５  係止孔
【図１】
0003161650.tif 000003
【図２】
0003161650.tif 000004
【図３】
0003161650.tif 000005
【図４】
0003161650.tif 000006
【図５】
0003161650.tif 000007
【図６】
0003161650.tif 000008
【図７】
0003161650.tif 000009
【図８】
0003161650.tif 000010
【図９】
0003161650.tif 000011